(57)【要約】【課題】本発明は、ベース部材に対する外壁用役物の係合の容易さと係合強度とを両立できる建築用部材及び外壁用役物を提供することを目的とするものである。【解決手段】第１及び第２外壁材１，２の間の隙間を覆うように化粧板部５０が配置された後に中央５０ｂをベース部材６に近づけるように化粧板部５０に外力が加えられることで、係合溝６０の内部で第１及び第２係合体５１３，５１４が互いに離れるように変位されるとともに、溝内突部６１０の奥端面に第１及び第２係合体５１３，５１４が当接されることにより、中央５０ｂがベース部材６から遠ざかることが制限される。【選択図】図１
2015175209.tif 000002
【特許請求の範囲】
【請求項１】
建築物の同じ壁面において互いに平行に配置された外壁材の間の隙間を覆うための建築用部材であって、
前記隙間に対応する位置において建築躯体に固定されるベース部材と、
前記ベース部材に係合されて前記隙間を覆う外壁用役物と
を備え、
前記ベース部材には、一対の側壁部と、一方の側壁部から他方の側壁部に向かって突出するように各側壁部に設けられた溝内突部とを含む係合溝が設けられており、
前記外壁用役物には、前記隙間を覆うように前記外壁材の外面側に配置される化粧板部と、前記化粧板部の裏側から延出された一対の壁体と、各壁体の先端にそれぞれ設けられた係合体とが設けられており、
前記化粧板部の裏側における前記幅方向に沿う前記化粧板部の両端と中央との間の角度は１８０°未満とされており、
前記一対の壁体は、前記幅方向に関して前記中央が前記一対の壁体の間に位置するように配置されており、
前記隙間を覆うように前記化粧板部が配置された後に前記中央を前記ベース部材に近づけるように前記化粧板部に外力が加えられることで、前記係合溝の内部で前記係合体が互いに離れるように変位されるとともに、前記溝内突部の奥端面に前記係合体が当接されることにより、前記中央が前記ベース部材から遠ざかることが制限されるように構成されている
ことを特徴とする建築用部材。
【請求項２】
前記化粧板部の裏側における前記幅方向に沿う前記化粧板部の両端と中央との間の角度は、１７０°以下かつ１４０°以上の角度である
ことを特徴とする請求項１記載の建築用部材。
【請求項３】
建築物の同じ壁面において互いに平行に配置された外壁材の間の隙間に対応する位置において建築躯体に固定されたベース部材に係合されて前記隙間を覆う外壁用役物であって、前記ベース部材には、一対の側壁部と、一方の側壁部から他方の側壁部に向かって突出するように各側壁部に設けられた溝内突部とを含む係合溝が設けられており、
前記隙間を覆うように前記外壁材の外面側に配置される化粧板部と、
前記化粧板部の裏側から延出された一対の壁体と、
各壁体の先端にそれぞれ設けられた係合体と
を備え、
前記化粧板部の裏側における前記幅方向に沿う前記化粧板部の両端と中央との間の角度は１８０°未満とされており、
前記一対の壁体は、前記幅方向に関して前記中央が前記一対の壁体の間に位置するように配置されており、
前記隙間を覆うように前記化粧板部が配置された後に前記中央を前記ベース部材に近づけるように前記化粧板部に外力が加えられることで、前記係合溝の内部で前記係合体が互いに離れるように変位されるとともに、前記溝内突部の奥端面に前記係合体が当接されることにより、前記中央が前記ベース部材から遠ざかることが制限されるように構成されている
ことを特徴とする外壁用役物。
【請求項４】
前記化粧板部の裏側における前記幅方向に沿う前記化粧板部の両端と中央との間の角度は、１７０°以下かつ１４０°以上の角度である
ことを特徴とする請求項３記載の外壁用役物。
【発明の詳細な説明】
【技術分野】
【０００１】
本発明は、外壁材の間の隙間を覆うための建築用部材及び外壁用役物に関する。
【背景技術】
【０００２】
一般に、建築躯体に複数の外壁材を取付けることで、建築物の外壁を構成することが行われている。このような外壁材は、サイディング材と呼ばれることがある。建築物の同じ壁面において互いに平行に配置された外壁材の間には隙間が生じる。このような隙間は、例えば下記の特許文献１等に記載された外壁用役物により覆われる。
【０００３】
従来の外壁用役物は、隙間を覆うように外壁材の外面側に配置される化粧板部と、化粧板部と一体に設けられた係合手段とを有している。化粧板部は、隙間を覆った際に外壁材の外面に沿うように、全体として平板状に形成されている。係合手段は、化粧板部の裏側から突出された一対の壁体と、これらの壁体の先端を接続する断面三角形の係合体とを有している。
【０００４】
建築物の建築躯体には、係合溝を有するベース部材が取り付けられる。ベース部材の係合溝に外壁用役物の係合手段が係合されることで、外壁用役物が建築躯体に固定される。
【先行技術文献】
【特許文献】
【０００５】
【特許文献１】特開２０１３−１５１８０８号公報
【発明の概要】
【発明が解決しようとする課題】
【０００６】
ベース部材に対する外壁用役物の係合の容易さ及び係合強度は、係合体の外端間距離（幅）によって決まる。
具体的には、係合体の外端間距離を狭くすると、係合体を係合溝に挿入しやすくなり、外壁用役物をベース部材に係合しやすくなる。しかしながら、係合体の外端間距離を狭くすると、係合が弱くなってしまう。
一方で、係合体の外端間距離を広くすると、ベース部材に対する外壁用役物の係合強度を高くすることができる。しかしながら、係合体の外端間距離を広くすると、係合体を係合溝に挿入しづらくなり、外壁用役物をベース部材に係合しにくくなる。
すなわち、ベース部材に対する外壁用役物の係合の容易さ及び係合強度は、互いに相反するものであり、一方を重視すれば他方が悪くなる。
【０００７】
上記のような従来の外壁用役物では、化粧板部が平板状とされるとともに、係合部が一対の壁体の先端を接続する断面略三角形状とされているので、外壁用役物をベース部材に係合させる際に係合体の外端間距離が変わることはない。このため、係合の容易さを重視すると係合強度が下がり、係合強度を重視すると係合の容易さが失われる。
【０００８】
本発明は、上記のような課題を解決するためになされたものであり、その目的は、ベース部材に対する外壁用役物の係合の容易さと係合強度とを両立できる建築用部材及び外壁用役物を提供することである。
【課題を解決するための手段】
【０００９】
本発明に係る建築用部材は、建築物の同じ壁面において互いに平行に配置された外壁材の間の隙間を覆うための建築用部材であって、隙間に対応する位置において建築躯体に固定されるベース部材と、ベース部材に係合されて隙間を覆う外壁用役物とを備え、ベース部材には、一対の側壁部と、一方の側壁部から他方の側壁部に向かって突出するように各側壁部に設けられた溝内突部とを含む係合溝が設けられており、外壁用役物には、隙間を覆うように外壁材の外面側に配置される化粧板部と、化粧板部の裏側から延出された一対の壁体と、各壁体の先端にそれぞれ設けられた係合体とが設けられており、化粧板部の裏側における幅方向に沿う化粧板部の両端と中央との間の角度は１８０°未満とされており、一対の壁体は、幅方向に関して中央が一対の壁体の間に位置するように配置されており、隙間を覆うように化粧板部が配置された後に中央をベース部材に近づけるように化粧板部に外力が加えられることで、係合溝の内部で係合体が互いに離れるように変位されるとともに、溝内突部の奥端面に係合体が当接されることにより、中央がベース部材から遠ざかることが制限されるように構成されている。
【００１０】
また、本発明に係る外壁用役物は、建築物の同じ壁面において互いに平行に配置された外壁材の間の隙間に対応する位置において建築躯体に固定されたベース部材に係合されて隙間を覆う外壁用役物であって、ベース部材には、一対の側壁部と、一方の側壁部から他方の側壁部に向かって突出するように各側壁部に設けられた溝内突部とを含む係合溝が設けられており、隙間を覆うように外壁材の外面側に配置される化粧板部と、化粧板部の裏側から延出された一対の壁体と、各壁体の先端にそれぞれ設けられた係合体とを備え、化粧板部の裏側における幅方向に沿う化粧板部の両端と中央との間の角度は１８０°未満とされており、一対の壁体は、幅方向に関して中央が一対の壁体の間に位置するように配置されており、隙間を覆うように化粧板部が配置された後に中央をベース部材に近づけるように化粧板部に外力が加えられることで、係合溝の内部で係合体が互いに離れるように変位されるとともに、溝内突部の奥端面に係合体が当接されることにより、中央がベース部材から遠ざかることが制限されるように構成されている。
【発明の効果】
【００１１】
本発明の建築用部材及び外壁用役物によれば、化粧板部の裏側における幅方向に沿う化粧板部の両端と中央との間の角度は１８０°未満とされており、一対の壁体は、幅方向に関して中央が一対の壁体の間に位置するように配置されており、隙間を覆うように化粧板部が配置された後に中央をベース部材に近づけるように化粧板部に外力が加えられることで、係合溝の内部で係合体が互いに離れるように変位されるとともに、溝内突部の奥端面に係合体が当接されることにより、中央がベース部材から遠ざかることが制限されるように構成されているので、係合溝への挿入時に係合体の外端間距離を狭くしつつ、係合溝内で係合体の外端間距離を広くすることができる。これにより、ベース部材に対する外壁用役物の係合の容易さと係合強度とを両立できる。
【図面の簡単な説明】
【００１２】
【図１】本発明の実施の形態１による建築部材を含む建築物の外壁構造を示す斜視図である。
【図２】図１のベース部材を示す平面図である。
【図３】図１の外壁用役物を示す斜視図である。
【図４】隙間を覆うように図２の化粧板部を配置した状態を示す説明図である。
【図５】図４の化粧板部の中央をベース部材に近づけるように化粧板部に外力を加えた状態を示す説明図である。
【発明を実施するための形態】
【００１３】
以下、本発明を実施するための形態について、図面を参照して説明する。
実施の形態１．
図１は、本発明の実施の形態１による建築部材を含む建築物の外壁構造を示す斜視図である。図１において、第１及び第２外壁材１，２は、例えば家屋等の建築物の同じ壁面において互いに平行に配置された板状部材である。これら第１及び第２外壁材１，２の間には、建築物の高さ方向に沿って延在された隙間３が形成されている。隙間３の奥には、例えば柱等の建築躯体４が配置されている。
【００１４】
隙間３は、全体として断面略Ｔ字状に形成された外壁用役物５によって覆われている。建築躯体４には、ベース部材６が固定されている。このベース部材６に外壁用役物５が係合されることで、建築躯体４に対して外壁用役物５が固定されている。
【００１５】
次に、図２は、図１のベース部材６を示す平面図である。図２において、ベース部材６は、一枚の金属板が曲げ加工されることで製造されたものである。ベース部材６には、ベース部材６への外壁用役物５の取り付けに利用される係合溝６０が設けられている。係合溝６０には、一対の側壁部６００と、各側壁部６００の先端側に設けられた溝内突部６１０とが設けられている。各溝内突部６１０は、一方の側壁部６００から他方の側壁部６００に向かって突出されており、係合溝６０の入側に狭路６１０ａを形成している。狭路６１０ａとは、溝内突部６１０の間の空間であり、溝内突部６１０（狭路６１０ａ）の奥側における側壁部６００間の幅６００ａに比べて幅が狭くなっている部分である。
【００１６】
次に、図３は、図１の外壁用役物５を示す斜視図である。図において、外壁用役物５には、化粧板部５０及び係合手段５１が設けられている。これら化粧板部５０及び係合手段５１は、一枚の素材板体が屈曲加工されることで形成されている。また、化粧板部５０及び係合手段５１は、化粧板部５０の幅方向５０ａに沿う中央５０ｂを中心に左右対称に形成されている。
【００１７】
化粧板部５０は、図１に示したように隙間３を覆うように第１及び第２外壁材１，２の外面側に配置される部分である。化粧板部５０の両側部は、化粧板部５０の裏側に向けて屈曲されている。化粧板部５０の裏側とは、隙間３を覆う際に建築物側に向かう側である。化粧板部５０に外力が加えられていない状態での化粧板部５０の裏側における化粧板部５０の両端５０ｃと中央５０ｂとの間の角度θは１８０°未満とされている。後に説明するように、角度θは１７０°以下かつ１４０°以上の角度であることが好ましい。
【００１８】
係合手段５１には、第１及び第２壁体５１１，５１２と第１及び第２係合体５１３，５１４とが設けられている。第１及び第２壁体５１１，５１２は、化粧板部５０の裏側から延出されている。また、第１及び第２壁体５１１，５１２は、化粧板部５０の幅方向５０ａに関して、化粧板部５０の中央５０ｂが第１及び第２壁体５１１，５１２の間に位置するように配置されている。第１及び第２係合体５１３，５１４は、第１及び第２壁体５１１，５１２の先端がそれぞれ折り返されることで形成された舌片により構成されている。第１及び第２係合体５１３，５１４は、第１及び第２壁体５１１，５１２の先端側で互いに近接しているとともに、第１及び第２壁体５１１，５１２の後端側に向かうにつれて互いに離れている。
【００１９】
次に、図４は、隙間３を覆うように図２の化粧板部５０を配置した状態を示す説明図であり、化粧板部５０に外力を加えていない状態を示している。上述のように化粧板部５０の両側部は化粧板部５０の裏側に向けて屈曲されて、化粧板部５０の裏側における化粧板部５０の両端５０ｃと中央５０ｂとの間の角度θは１８０°未満とされている。このため、図４に示すように化粧板部５０に外力が加えられていないとき、化粧板部５０の中央５０ｂは、両端５０ｃよりもベース部材６から離れている。
【００２０】
図４に示すように、隙間３を覆うように化粧板部５０を配置した場合、外壁用役物５の第１及び第２壁体５１１，５１２並びに第１及び第２係合体５１３，５１４がベース部材６の係合溝６０に挿入される。但し、図４のように化粧板部５０に外力が加えられていないときには、第１及び第２係合体５１３，５１４は、溝内突部６１０の奥まで進入しておらず、溝内突部６１０の間にとどまっている。
【００２１】
次に、図５は、図４の化粧板部５０の中央５０ｂをベース部材６に近づけるように化粧板部５０に外力を加えた状態を示す説明図である。図５に示すように、図４の化粧板部５０の中央５０ｂをベース部材６に近づけるように化粧板部５０に外力を加えた場合、化粧板部５０が湾曲されて、第１及び第２係合体５１３，５１４が溝内突部６１０の奥まで押し込まれる。このとき、化粧板部５０の湾曲に応じて第１及び第２壁体５１１，５１２が離間されて、係合溝６０の内部で第１及び第２係合体５１３，５１４が互いに離れるように変位される。すなわち、係合溝６０への挿入時に第１及び第２係合体５１３，５１４の外端間距離を狭くしつつ、係合溝６０内で第１及び第２係合体５１３，５１４の外端間距離を広くすることができる。これにより、ベース部材６に対する外壁用役物５の係合の容易さとベース部材６に対する外壁用役物５の係合強度とを両立できる。
【００２２】
化粧板部５０に加えた外力を取り除くと、弾性により化粧板部５０が元の形状に戻ろうとする。この化粧板部５０の復元により生じる力は、第１及び第２係合体５１３，５１４を係合溝６０の入側に引き戻すとともに、第１及び第２係合体５１３，５１４を互いに近づけるように作用する。
【００２３】
化粧板部５０の復元により生じる力によって第１及び第２係合体５１３，５１４が係合溝６０の入側に一定量引き戻されると、第１及び第２係合体５１３，５１４は、溝内突部６１０の奥端面に当接される。これにより、化粧板部５０の中央５０ｂがベース部材６から遠ざかることが制限されて、係合溝６０の内部で第１及び第２係合体５１３，５１４が互いに離れている状態が維持される。
【００２４】
上述のように第１及び第２係合体５１３，５１４が溝内突部６１０の奥端面に当接されて、化粧板部５０の中央５０ｂがベース部材６から遠ざかることが制限されているとき、化粧板部５０の弾性力は、化粧板部５０の両端５０ｃを第１及び第２外壁材１，２に押し付けるように作用する。これにより、化粧板部５０の両端５０ｃと第１及び第２外壁材１，２との間に隙間が生じることが回避される。
【００２５】
次に、実施例を挙げる。本発明者らは、４００ｍｍの長さに切断した各材料を組合せて、図４に示す外壁構造の試験体を作製した。外壁用役物５については、下記の表１に示すように角度θのみを変更した複数の供資材（実施例１〜５）を用意した。そして、それぞれの外壁用役物５について以下の評価を行った。
【００２６】
【表１】
2015175209.tif 000003
【００２７】
（１）施工性評価
実施例１〜５について、ベース部材６の係合溝６０に係合爪５１３，５１４を差し込む際に必要とされる力をオートグラフにより測定した。この必要とされる力が適度に小さい方が、施工性が良好と評価できる。表１では、０．１ｋＮ以上０．３ｋＮ未満の押込力で嵌る場合を◎、０．１ｋＮ未満の押し込みで嵌るものを○、０．３ｋＮ以上で押し込む必要があるものを×として表している。
【００２８】
（２）係合性評価
また、実施例１〜５について、係合爪５１３，５１４と係合溝６０との係合性をオートグラフによる引っ張り試験にて評価した。一定量の引張荷重を受けても係合が外れない場合に、係合性が良好であると評価できる。表１では、０．２ｋＮの引っ張り荷重で外れないものを◎、外れるものを×として表している。
【００２９】
（３）滑り抵抗評価
また、実施例１〜５について、ベース部材６の係合溝６０に係合爪５１３，５１４を差し込んだ後に、外壁用役物５を上から押して、縦方向に外壁用役物５を移動させるために必要とされる力をオートグラフにより測定した。外壁用役物５を移動させるために適度な力が必要とされる場合に滑り抵抗が良好であると評価できる。すなわち、あまりに小さな力で外壁用役物５を移動させることができると好ましくないと評価される。表１では、外壁用役物５を上から押して、０．１ｋＮ以上０．２ｋＮ未満の押し込みで動くものを◎、０．２ｋＮ以上で動くものを○、０．１ｋＮ未満で動くものを×として表している。
【００３０】
（４）意匠性評価
また、実施例１〜５について、ベース部材６の係合溝６０に係合爪５１３，５１４を差し込んだ状態の外観を目視により確認した。表１では、問題のなかったものを◎、化粧板部５０の両端５０ｃと第１及び第２外壁材１，２との間の押し付けがあまく、それらの間に隙間が目立つものを○、θの角度を保とうとする化粧板部５０の中央５０ｂと広がろうとする化粧板部５０の両端５０ｃとの影響で、化粧板部５０の表面に外観を阻害するような反りが発生したものを×として表している。
【００３１】
この結果から、化粧板部５０に外力が加えられていない状態での化粧板部５０の裏側における化粧板部５０の両端５０ｃと中央５０ｂとの間の角度θは、１７０°以下かつ１４０°以上が好ましいことが確認された。
【００３２】
このような建築部材及び外壁用役物５では、化粧板部５０に外力が加えられていないときの化粧板部５０の幅方向５０ａに沿う断面形状は、隙間３を覆うように化粧板部５０が配置された際に幅方向５０ａに沿う中央５０ｂが幅方向５０ａに沿う両端５０ｃよりも第１及び第２外壁材１，２から離れる形状とされており、第１及び第２壁体５１１，５１２は、幅方向５０ａに関して中央５０ｂが第１及び第２壁体５１１，５１２の間に位置するように配置されており、隙間３を覆うように化粧板部５０が配置された後に中央５０ｂをベース部材６に近づけるように化粧板部５０に外力が加えられることで、係合溝６０の内部で第１及び第２係合体５１３，５１４が互いに離れるように変位されるとともに、溝内突部６１０の奥端面に第１及び第２係合体５１３，５１４が当接されることにより、中央５０ｂがベース部材６から遠ざかることが制限されるように構成されているので、係合溝６０への挿入時に第１及び第２係合体５１３，５１４の外端間距離を狭くしつつ、係合溝６０内で第１及び第２係合体５１３，５１４の外端間距離を広くすることができる。これにより、ベース部材６に対する外壁用役物５の係合の容易さと係合強度とを両立できる。
【００３３】
なお、実施の形態では、化粧板部５０と係合手段５１とが一枚の板材により構成されるように説明しているが、例えば上述した特許文献１等に示されているように化粧板部５０と係合手段５１とを別体により構成してもよい。
【００３４】
また、実施の形態では、化粧板部５０の両側部が化粧板部５０の裏側に向けて屈曲されることで、化粧板部５０が、中央５０ｂが両端５０ｃよりも第１及び第２外壁材１，２から離れる形状とされているように説明したが、化粧板部は、例えば円弧面等、中央が両端よりも外壁材から離れる他の形状とされていればよい。
【符号の説明】
【００３５】
１，２  第１及び第２外壁材
３  隙間
４  建築躯体
５  外壁用役物
５０  化粧板部
５１１，５１２  ：第１及び第２壁体
５１３，５１４  ：第１及び第２係合体
６  ベース部材
６０  係合溝
６００  側壁部
６１０  溝内突部
【図１】
2015175209.tif 000004
【図２】
2015175209.tif 000005
【図３】
2015175209.tif 000006
【図４】
2015175209.tif 000007
【図５】
2015175209.tif 000008